(57)【要約】【課題】室外機本体の一側面にカバー部材を取り付ける際の取付作業性を改善する。【解決手段】本実施形態の室外機は、基部の長手方向の長さが室外機本体の一側面において上下方向に延びる長孔部の長手方向の長さよりも短く形成された爪部を有し、室外機本体の一側面の上部に設けられたコネクタおよび一側面の下部に設けられた接続バルブ手段を室外機本体の外側方から覆う金属製のカバー部材を備える。長孔部の上部には、当該長孔部の長手方向と直交する方向に延び且つ長手方向の長さが爪部の基部の長手方向の長さと同じ寸法である延出孔部が設けられ、カバー部材は、爪部を長孔部に挿入した状態で上方に押し上げられ、さらに長孔部の長手方向と直交する方向にスライドされることで爪部を延出孔部に移動した状態とし、この状態で室外機本体の一側面にねじ止めされることで室外機本体の一側面に固定されている。【選択図】図５
2012202616.tif 000002
【特許請求の範囲】
【請求項１】
内部に空調用あるいは給湯用の熱源とこの熱源を駆動制御する電気部品とを備え、一側面に上下方向に延びる長孔部を有する室外機本体と、
前記室外機本体の一側面の上部に設けられ、前記電気部品からの端子部と外部電気配線とを接続するコネクタと、
前記室外機本体の一側面の下部に設けられ、前記熱源からの配管を外部の渡り配管に接続する接続バルブ手段と、
基部の長手方向の長さが前記長孔部の長手方向の長さよりも短く形成された爪部を有し、この爪部を前記長孔部に挿入した状態で上方に押し上げられ且つ前記室外機本体の一側面にねじ止めされることで前記室外機本体の一側面に固定され、前記コネクタおよび接続バルブ手段を前記室外機本体の外側方から覆う金属製のカバー部材と、
を備える室外機において、
前記長孔部の上部には、当該長孔部の長手方向と直交する方向に延び且つ長手方向の長さが前記爪部の基部の長手方向の長さと同じ寸法である延出孔部が設けられ、
前記カバー部材は、前記爪部を前記長孔部に挿入した状態で上方に押し上げられ、さらに前記長孔部の長手方向と直交する方向にスライドされることで前記爪部を前記延出孔部に移動した状態とし、この状態で前記室外機本体の一側面にねじ止めされることで前記室外機本体の一側面に固定されていることを特徴とする室外機。
【請求項２】
前記カバー部材は、上端部にパッキンを備えることを特徴とする請求項１記載の室外機。
【発明の詳細な説明】
【技術分野】
【０００１】
本発明の実施形態は、室外機に関する。
【背景技術】
【０００２】
空調用の空気調和機あるいは給湯用のヒートポンプ給湯装置の室外機として、例えば特許文献１の室外機は、室外機本体の一側面の上部に設けられたＳＬコネクタ、および、室外機本体の一側面の下部に設けられたパックドバルブを、カバー部材である金属製のパックドバルブカバーによって室外機本体の外側方から覆う構成である。
このパックドバルブカバーを室外機本体の一側面に取り付ける際には、まず、パックドバルブカバーが有する爪部を室外機本体の一側面に設けられた長孔部に挿入した状態で当該パックドバルブカバーを上方に押し上げる。これにより、パックドバルブカバーの爪部が長孔部の上端部に掛け止めされて当該パックドバルブカバーの仮固定がなされる。続いて、このように仮固定がなされたパックドバルブカバーを室外機本体の一側面にねじ止めする。これにより、パックドバルブカバーは、ＳＬコネクタおよびパックドバルブを室外機本体の外側方から覆った状態で室外機本体の一側面に固定される。
【０００３】
しかしながら、パックドバルブカバーをねじ止めする際には、作業者は、仮固定状態のパックドバルブカバー、つまり、上方に押し上げた状態のパックドバルブカバーを、自然落下しないように手で保持しなければならない。そのため、パックドバルブカバーの取付作業性の改善が求められている。
【先行技術文献】
【特許文献】
【０００４】
【特許文献１】特開２００５−１８０７２５号公報
【発明の概要】
【発明が解決しようとする課題】
【０００５】
そこで、室外機本体の一側面にカバー部材を取り付ける際の取付作業性を改善した室外機を提供する。
【課題を解決するための手段】
【０００６】
本実施形態の室外機は、室外機本体と、コネクタと、接続バルブ手段と、金属製のカバー部材と、を備える。
室外機本体は、内部に空調用あるいは給湯用の熱源とこの熱源を駆動制御する電気部品とを備え、一側面に上下方向に延びる長孔部を有する。コネクタは、室外機本体の一側面の上部に設けられ、電気部品からの端子部と外部電気配線とを接続する。接続バルブ手段は、室外機本体の一側面の下部に設けられ、熱源からの配管を外部の渡り配管に接続する。金属製のカバー部材は、基部の長手方向の長さが長孔部の長手方向の長さよりも短く形成された爪部を有し、この爪部を長孔部に挿入した状態で上方に押し上げられ且つ室外機本体の一側面にねじ止めされることで室外機本体の一側面に固定され、コネクタおよび接続バルブ手段を室外機本体の外側方から覆う。長孔部の上部には、当該長孔部の長手方向と直交する方向に延び且つ長手方向の長さが爪部の基部の長手方向の長さと同じ寸法である延出孔部が設けられている。そして、カバー部材は、爪部を長孔部に挿入した状態で上方に押し上げられ、さらに長孔部の長手方向と直交する方向にスライドされることで爪部を延出孔部に移動した状態とし、この状態で室外機本体の一側面にねじ止めされることで室外機本体の一側面に固定されている。
【図面の簡単な説明】
【０００７】
【図１】一実施形態に係る室外機の外観を概略的に示す斜視図
【図２】室外機の一側面部分をパックドバルブカバーを取り外した状態で示す斜視図
【図３】パックドバルブカバーを裏面側から示す斜視図
【図４】（ａ）はパックドバルブカバーの一側面図、（ｂ）はパックドバルブカバーの正面図、（ｃ）はパックドバルブカバーの他側面図
【図５】係止フック部および係止孔部を拡大して示す図
【図６】一側面サイドキャビネットを室外機本体の内側から見た図
【図７】パックドバルブカバーの上端部およびその周辺部分を示す縦断面図
【図８】パックドバルブカバーを一側面サイドキャビネットに取り付けた状態で示す室外機の一側面図
【発明を実施するための形態】
【０００８】
以下、一実施形態による室外機を図面を参照して説明する。
図１に示すように、空気調和機の室外機１０は、金属製の室外機本体１１を有している。この室外機本体１１の前面にはファンガード１２が設けられている。また、室外機本体１１の一側面には、カバー部材である金属製のパックドバルブカバー１３が、詳しくは後述する取付構造によって取り外し可能に取り付けられている。
【０００９】
室外機本体１１は、本体ケーシングとして形成され、底面を構成する図示しない底板と、前面を構成する前キャビネット１４と、一側面を構成するサイドキャビネット１５と、他側面を構成する図示しないサイドキャビネットと、上面を構成する天板としての上キャビネット１６とからボックス状に設けられている。
詳しい図示は省略するが、このようなボックス状の室外機本体１１の内部は、仕切壁で左右２つの室にセパレートされており、一方の室に圧縮機が、他方の室に送風機がそれぞれ設置されている。送風機は、この場合、プロペラファンとこのファンを回転させるファンモータとから構成されている。
【００１０】
送風機の背面側には、室外機本体１１の他側面から背面にかけて平面視ほぼＬ字形の熱交換器が設けられている。また、送風機の上方には、圧縮機や、送風機、熱交換器などの駆動を制御する電気部品としてのインバータ装置が設けられている。圧縮機や熱交換器は、室外機１０の空調用あるいは給湯用の熱源を構成する。熱交換器のうち送風機の背側に位置する部分は、室外機本体１１の背側に露出しており、室外機本体１１の背面を構成している。
また、圧縮機の吸込側にはアキュムレータが並設され、圧縮機の吐出側には四方弁が設けられている。これらアキュムレータ、圧縮機、四方弁および熱交換器は、冷媒配管で接続され、これにより、室外側の冷凍サイクルを構成している。
図２に示すように、室外機本体１１のサイドキャビネット１５の下部には、パックドバルブ２１が設けられている。このパックドバルブ２１は、接続バルブ手段として機能するものであり、室外機１０内の熱源から延びる図示しない冷媒配管を、図示しない室内機側からの渡り配管である冷媒配管に接続している。
一方、室外機本体１１のサイドキャビネット１５の上部には、ＳＬコネクタ２２が設けられている。このＳＬコネクタ２２は、パックドバルブ２１の上方において当該パックドバルブ２１と離間して配設されている。このＳＬコネクタ２２は、例えばサイドキャビネット１５の上部に設けられた端子台２３に取り付けられている。この端子台２３は、サイドキャビネット１５の上部を部分的に内側に斜めに切り起こすことにより形成されている。
ＳＬコネクタ２２は、室外機本体１１内の各電気部品（インバータ装置など）から延びる端子部（リード線など）と室外機１０の外部から延びる外部電気配線２４（接続ケーブルなど）とを電気的・物理的に接続する。
【００１１】
このような構成の室外機１０は、圧縮機および送風機を駆動させることにより、図示しない室内機と協働して空調運転を実行する。即ち、室外機１０の運転により、圧縮機から吐出する冷媒あるいは圧縮機に戻る冷媒が熱交換器で熱交換される。また、送風機の駆動により、室外機１０の背面や側面から吸い込まれた外気が熱交換器を通って室外機１０の前面のファンガード１２から前方に吹き出されるようになっている。このとき、室外機１０内に吸い込まれた外気は、熱交換器を通過する際に熱交換される。従って、ファンガード１２からは、熱交換された外気が吹き出されるようになる。
【００１２】
図３および図４に示すように、パックドバルブカバー１３は、金属製の板材（金属プレート）を成形加工したものであり、その全周部にはヘミング加工が施されている。このようにヘミング加工を施すことにより、パックドバルブカバー１３の機械的・物理的強度を向上させることができる。また、パックドバルブカバー１３の端面が滑らかになり、カバー端面による怪我を防止することができる。このパックドバルブカバー１３は、室外機本体１１のサイドキャビネット１５に外側方から取り外し可能に取り付けられる。このように取り付けられたパックドバルブカバー１３は、サイドキャビネット１５とともに室外機１０の外郭を構成する。
【００１３】
パックドバルブカバー１３は、主としてＳＬコネクタ２２およびその周辺部分を室外機本体１１の外側方から覆うコネクタカバー部３１と、パックドバルブ２１およびその周辺部分を室外機本体１１の外側方から覆うバルブカバー部３２とを有する。即ち、パックドバルブカバー１３は、少なくともＳＬコネクタ２２およびパックドバルブ２１を室外機本体１１の外方側から覆う室外機本体１１の側面部のカバー部材である。
コネクタカバー部３１は、例えば横断面（平断面）円弧状に外方側に膨出しており、その内側に外部電気配線２４のガイド部を形成している。コネクタカバー部３１の膨出部は、パックドバルブカバー１３の長手方向（上下方向、縦方向）に延びてバルブカバー部３２に連接されている。また、パックドバルブカバー１３の途中部には、当該パックドバルブカバー１３の長手方向と直交する方向（横方向）に延びる凹設部３３が設けられている。
【００１４】
このコネクタカバー部３１は、パックドバルブカバー１３がサイドキャビネット１５に取り付けられた際に、ＳＬコネクタ２２および当該ＳＬコネクタ２２に接続された外部電気配線２４を外側から被さるようにして収納する。また、このとき、コネクタカバー部３１の凹設部３３は、サイドキャビネット１５の表面との間に所定幅の隙間を形成する。この隙間に渡り配線である外部電気配線２４を挟むことで、当該外部電気配線２４が凹設部３３によって直接的にクランプされるようになっている。
バルブカバー部３２は、ほぼボックス状に外方側に膨出しており、その外方側への膨出量は上記のコネクタカバー部３１の外方側への膨出量よりも大きくなっている。このバルブカバー部３２は、パックドバルブカバー１３がサイドキャビネット１５に取り付けられた際に、パックドバルブ２１およびその周辺部分を外側から包み込むようにして収納する。
【００１５】
パックドバルブカバー１３は金属材料で成形されていることから、これらコネクタカバー部３１やバルブカバー部３２を板金加工などで膨出させることにより、機械的・物理的強度を向上させることができる。また、パックドバルブカバー１３におけるコネクタカバー部３１の凹設部３３の横方向両端部の近傍、および、バルブカバー部３２の下部の一端側には、パックドバルブカバー１３をサイドキャビネット１５にねじ止めするためのねじ孔部３４が設けられている。また、パックドバルブカバー１３の底部（下端部）には、ドレン回収機構部３５が設けられている。ドレン回収機構部３５は、バルブカバー部３２の底部に形成された樋部３６を有する。ドレン回収機構部３５は、パックドバルブ２１などで発生した結露水（ドレン）を回収して室外機本体１１の底板に導く。
【００１６】
また、パックドバルブカバー１３の裏面（サイドキャビネット１５に対向する面）には、爪部として機能する係止フック部３７が設けられている。この係止フック部３７は、パックドバルブカバー１３を構成する金属材料の一部を折り曲げ加工（切り起こし加工）することによって形成されたものであり、従って、パックドバルブカバー１３と一体成形されたものである。この場合、係止フック部３７は複数箇所（この場合、コネクタカバー部３１の下部の横方向の両端部およびバルブカバー部３２の下部の横方向の一端部の合計３箇所）に設けられている。また、これら複数の係止フック部３７は、ねじ孔部３４の上方あるいは下方に位置して設けられている。
【００１７】
図５に示すように、係止フック部３７は、基部３７ａ（パックドバルブカバー１３から折り曲げられた部分）と、この基部３７ａから上方に突出する係止突起部３７ｂとを有する。従って、係止フック部３７は、係止突起部３７ｂを有する先端側の長手方向（上下方向）の長さが、基部３７ａの長手方向（上下方向）の長さよりも長く形成されている。
【００１８】
一方、サイドキャビネット１５には、図６にも示すように、パックドバルブカバー１３を取り付ける際に上記の係止フック部３７がほぼ対向する位置、つまり、この場合、パックドバルブカバー１３のコネクタカバー部３１の下部の横方向の両端部付近に対向する位置、および、バルブカバー部３２の下部の横方向の一端部付近に対向する位置の合計３箇所に、長孔部として機能する係止孔部４１が設けられている。
【００１９】
この係止孔部４１は、主として上下方向に延びる矩形状の長孔であるが、その上部には、延出孔部４１ａが当該係止孔部４１に連続して設けられている。この延出孔部４１ａは、係止孔部４１の長手方向（上下方向）と直交する方向（横方向であり、この場合、室外機１０の前方向、図６では右方向）に延び、且つ、長手方向の長さが係止フック部３７の基部３７ａの長手方向の長さと同じ寸法またはほぼ同じ寸法となるように形成されている。この係止孔部４１は、このような延出孔部４１ａを一体的・連続的に備えたことにより、全体としてほぼ逆Ｌ字状の長孔を構成している。
【００２０】
また、係止孔部４１は、従来構成における係止孔部の位置と比べ横方向（この場合、延出孔部４１ａが延びる方向とは反対方向）に所定距離ずれた位置に設けられており、この場合、パックドバルブカバー１３を最終的な取付位置（図８参照）に移動させたときに係止フック部３７が位置する部分に延出孔部４１ａが位置するように設けられている。
また、サイドキャビネット１５には、パックドバルブカバー１３を最終的な取付位置（図８参照）に移動させたときに当該パックドバルブカバー１３のねじ孔部３４に対向する位置に、ねじ孔部４２が設けられている。
【００２１】
また、図７に示すように、パックドバルブカバー１３の頂部（この場合、上端部）の裏面（サイドキャビネット１５に対向する面）には、水受け部５１が設けられている。この水受け部５１も、パックドバルブカバー１３を構成する金属材料の一部を折り曲げ加工（切り起こし加工）することによって形成されたものであり、従って、パックドバルブカバー１３と一体成形されたものである。この場合、水受け部５１は、パックドバルブカバー１３の上端部において当該パックドバルブカバー１３の長手方向（上下方向）と直交する方向（横方向）に長く連続して設けられている。また、この水受け部５１には、パッキン５２が差し込まれるようにして取り付けられる。
【００２２】
次に、上記構成の室外機１０におけるパックドバルブカバー１３の取付態様（取付構造）について説明する。
まず、パックドバルブカバー１３の係止フック部３７を係止孔部４１の長孔部分（延出孔部４１ａ以外の部分）に挿入した状態で、当該パックドバルブカバー１３を下方から上方に向かって押し上げる。これにより、係止フック部３７が係止孔部４１の長孔部分内を上方にスライドし、係止フック部３７の係止突起部３７ｂが係止孔部４１の上端部に掛け止めされた状態（掛け止め状態）となる。そして、この掛け止め状態から、さらにパックドバルブカバー１３を横方向（係止孔部４１の長手方向と直交する方向）のうち延出孔部４１ａが設けられている方向（この場合、室外機１０の前方向であり、図６では右方向）にスライドさせる。これにより、係止孔部４１の上端部に掛け止め状態となっている係止フック部３７が当該掛け止め状態を維持したまま延出孔部４１ａに移動した状態（仮止め状態）となる。このとき、延出孔部４１ａの長手方向の寸法が係止フック部３７の基部３７ａの長手方向の寸法と同じ寸法（ほぼ同じ寸法であってもよい）であることから、作業者が上方に押し上げたパックドバルブカバー１３から手を離したとしても、図５に示すように、その押し上げ位置にて係止フック部３７の基部３７ａが延出孔部４１ａの下端部に引っ掛かるようになり、従って、パックドバルブカバー１３が自然落下しないようになる。
【００２３】
この仮止め状態、つまり、上方に押し上げたパックドバルブカバー１３が自然落下しない状態で、パックドバルブカバー１３のねじ孔部３４とサイドキャビネット１５のねじ孔部４２とをねじ６１（図８参照）によってねじ止めする。これにより、パックドバルブカバー１３は、ＳＬコネクタ２２およびパックドバルブ２１を室外機本体１１の外側方から覆った状態で室外機本体１１の一側面に安定的に固定される。
【００２４】
なお、パックドバルブカバー１３を上方に押し上げることにより、図７に示すように、水受け部５１に取り付けられたパッキン５２が、サイドキャビネット１５の上部に設けられた当接部１５ａに押し付けられるようになり、パッキン５２の密着性が向上する。これにより、特にパックドバルブカバー１３の上端部とサイドキャビネット１５との間の部分を液密に構成することができ、主として屋外に設置される室外機１０において雨水などがパックドバルブカバー１３内に浸入してしまうこと、ひいては、パックドバルブカバー１３内のＳＬコネクタ２２に雨水などが達してしまうことを回避することができる。
【００２５】
また、延出孔部４１ａを有する係止孔部４１は、サイドキャビネット１５において、従来構成における係止孔部の位置よりも延出孔部４１ａが延びる方向とは反対方向に所定距離ずれた位置に設けられている。そして、サイドキャビネット１５においてパックドバルブカバー１３が取り付けられる上下方向に長い取付凹部１５ｂ（図２および図８参照）は、従来構成における取付凹部に比べ、その横方向の寸法が若干長く形成されている。
【００２６】
従って、パックドバルブカバー１３を上方に押し上げさらに横方向（延出孔部４１ａが延びる方向）にスライドさせることにより当該パックドバルブカバー１３を室外機本体１１の一側面に取り付けると、パックドバルブカバー１３の横方向の両端部に、当該パックドバルブカバー１３に沿って上下方向に延びるスリット６２ａ，６２ｂが形成されるようになっている。これにより、パックドバルブカバー１３を横方向にスライドさせる取付態様であっても、その取り付け後の外観が、室外機１０の一側面から見て左右で対称的なものとなり意匠性が向上する。また、室外機１０の上部から流れる雨水などをスリット６２ａ，６２ｂに沿って下方に導くことができ、パックドバルブカバー１３内への雨水の浸入やＳＬコネクタ２２への雨水などの到達を一層回避することができる。
【００２７】
以上のように本実施形態の室外機は、室外機本体と、コネクタと、接続バルブ手段と、金属製のカバー部材と、を備える。
室外機本体は、内部に空調用あるいは給湯用の熱源とこの熱源を駆動制御する電気部品とを備え、一側面に上下方向に延びる長孔部を有する。コネクタは、室外機本体の一側面の上部に設けられ、電気部品からの端子部と外部電気配線とを接続する。接続バルブ手段は、室外機本体の一側面の下部に設けられ、熱源からの配管を外部の渡り配管に接続する。金属製のカバー部材は、基部の長手方向の長さが長孔部の長手方向の長さよりも短く形成された爪部を有し、この爪部を長孔部に挿入した状態で上方に押し上げられ且つ室外機本体の一側面にねじ止めされることで室外機本体の一側面に固定され、コネクタおよび接続バルブ手段を室外機本体の外側方から覆う。長孔部の上部には、当該長孔部の長手方向と直交する方向に延び且つ長手方向の長さが爪部の基部の長手方向の長さと同じ寸法である延出孔部が設けられている。そして、カバー部材は、爪部を長孔部に挿入した状態で上方に押し上げられ、さらに長孔部の長手方向と直交する方向にスライドされることで爪部を延出孔部に移動した状態とし、この状態で室外機本体の一側面にねじ止めされることで室外機本体の一側面に固定されている。この構成によれば、作業者が上方に押し上げたカバー部材から手を離したとしても、そのカバー部材が落下したり下方にずれたりしないようになり、室外機本体の一側面にカバー部材を取り付ける際の取付作業性を改善することができる。
【００２８】
特に近年では、パックドバルブカバーを、防火対策が別途必要となる樹脂材料で構成するのではなく金属材料で構成することにより不燃化し、別途の防火対策を不要とする傾向がある。しかし、パックドバルブカバーを金属材料で構成すると、パックドバルブカバー自体の重量が重くなってしまう。そのため、パックドバルブカバーを上方に押し上げて取り付ける取付構造では、一旦上方に押し上げたパックドバルブカバーが落下し易いという不具合や上方に押し上げたパックドバルブカバーをその押し上げ位置にて手で保持し難いという不具合などが生じ、取付作業が困難となる。また、取り付けたパックドバルブカバーが下にずれ易くなり、パックドバルブカバーの上端部の液密性を維持できなくなる場合も生じ得る。本実施形態の室外機によれば、一旦上方に押し上げたパックドバルブカバー１３は、延出孔部４１ａが延びる横方向にスライドさせることで係止フック部３７が係止孔部４１の延出孔部４１ａに引っ掛かるようになり、作業者が手を離したとしても自然落下しないようになる。よって、パックドバルブカバー１３自体の重量が重い場合であっても、パックドバルブカバー１３を容易に取り付けることができる。また、取り付けたパックドバルブカバー１３が下にずれ難くなり、パックドバルブカバー１３の上端部の液密性を適切に維持することができる。
【００２９】
なお、本実施形態は、上述の一実施形態にのみ限定されるものではなく、例えば、次のように変形または拡張することができる。
係止フック部３７、および、延出孔部４１ａを有する係止孔部４１は、少なくとも２組、さらには上述の一実施形態で示したように３組、或いは、３組以上を設けることが好ましいが、一旦上方に押し上げたパックドバルブカバー１３の落下を回避して押し上げ位置にて維持できるのであれば１組であってもよい。
【００３０】
延出孔部４１ａの長手方向の寸法は、係止フック部３７の基部３７ａの長手方向の寸法と極力同じ寸法であることが望ましいが、係止フック部３７を延出孔部４１ａに移動（スライド）させることを容易にするために、係止フック部３７の係止突起部３７ｂが係止孔部４１に掛け止めされた状態（掛け止め状態）が解除されない範囲であることを条件に、延出孔部４１ａの長手方向の寸法を係止フック部３７の基部３７ａの長手方向の寸法よりも若干長く設定するように構成してもよい。
本実施形態は、室内空調用の空気調和機の室外機のみならず、例えば室内の床暖房や給湯を行なうヒートポンプ給湯装置の室外機に適用することもできる。
【００３１】
上述の一実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３２】
図面中、１０は室外機、１１は室外機本体、１３はパックドバルブカバー（カバー部材）、２１はパックドバルブ（接続バルブ手段）、２２はＳＬコネクタ（コネクタ）、３７は係止フック部（爪部）、３７ａは基部、４１は係止孔部（長孔部）、４１ａは延出孔部、５２はパッキンを示す。
【図１】
2012202616.tif 000003
【図２】
2012202616.tif 000004
【図３】
2012202616.tif 000005
【図４】
2012202616.tif 000006
【図５】
2012202616.tif 000007
【図６】
2012202616.tif 000008
【図７】
2012202616.tif 000009
【図８】
2012202616.tif 000010